(57)【要約】【課題】自動収納梱包ラインで目的物を収納梱包でき、少なくとも周壁の一組を二重構造にして強度を高め、二つの主収容室と一つの副収容室を備える。【解決手段】段ボール台紙ａが、底板１の両側対向長辺縁に前側壁板２と後側壁板３を連設し、後側壁板３に蓋板４と副前側壁板５を順次連設し、これら各板１〜４左右側壁板１′，１″〜４′，４″を連設し、前側壁板２，底板１，後側壁板３および蓋板４に、それぞれ仕切り壁板１０，副底板１１，副後側壁板１２および副蓋板１３を重合し、上記仕切り壁板１０を、副後側壁板１２と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、副蓋板１３で主収容室Ｂ，Ｂ′用の空処の上面開口を閉じ、その外面に蓋板４を重合し、上記各左右側壁板で上記空処の側面開口を閉じてなる。【選択図】  図４
2004359306.tif 000002
【特許請求の範囲】
【請求項１】
１．  段ボール台紙ａが、
ア．  横長方形の底板（１）の両側対向長辺縁にそれと同形同大の前側壁板（２）と後側壁板（３）を連設するとともに、その後側壁板（３）には同じく底板（１）と同形同大の蓋板（４）と副前側壁板（５）を順次連設し、かつ、これら底板（１）、前側壁板（２）、後側壁板（３）および蓋板（４）の各両側短辺に、左右側壁板（１′）（１″）（２′）（２″）（３′）（３″）および（４′）（４″）を連設し、
イ．  上記前側壁板（２）に対し、底板（１）とは反対側において該底板（１）と同形同大の仕切り壁板（１０）を連設するとともに、その仕切り壁板（１０）に、同じく底板（１）と同形同大の副底板（１１）、副後側壁板（１２）および副蓋板（１３）を順次連設し、
ウ．  上記仕切り壁板（１０）は、その各両側短辺に折曲線（ワ）（ワ′）を介して糊代片（１０′）（１０″）を連設するとともに、中央部分に折曲線（カ）（カ′）で所要の幅員の連繋部（１４）を区画し、これら折曲線（ワ）と（カ）、折曲線（ワ′）と（カ′）により、それぞれ区画された各部を二重壁部（１０−１）（１０−２）とし、しかも、その二重壁部（１０−１）（１０−２）と上記前側壁板（２）との境界には上記連繋部（１４）の部分を除き折曲線リに沿って切込み（１５）（１５′）を設けるとともに、同じく二重壁部（１０−１）（１０−２）と上記副底板（１１）との境界に上記連繋部（１４）の部分を除き折曲線（ヌ）に沿って切込み（１６）（１６′）を設けてなり、
２．  水平配置した上記段ボール台紙（ａ）を、
ア．  二つ折りすることによって、前側壁板（２）、底板（１）、後側壁板（３）および蓋板（４）に、それぞれ仕切り壁板（１０）、副底板（１１）、副後側壁板（１２）および副蓋板（１３）を重合し、
イ．  上記副後側壁板（１２）を、副蓋板（１３）を伴ったまま、副底板（１１）に対して直角に起立させるとともに、仕切り壁板（１０）の二重壁部（１０−１）（１０−２）を折曲線（カ）（カ′）において、また、糊代片（１０′）（１０″）を折曲線（ワ）（ワ′）において、それぞれ折り曲げることにより持ち上げ、
ウ．  上記前側壁板（２）を底板（１）に対し直角に起立させ、かつ、前側壁板（２）の起立に伴って同時に起立する仕切り壁板（１０）の二重壁部（１０−１，（１０−２）の糊代片（１０′）（１０）″を、直角に起立している上記副後）側壁板（１２）の対向部分に接着固定することにより、仕切り壁板（１０）を、副後側壁板（１２）と前側壁板（２）との間に跨架した状態として、連繋部（１４）の幅員の副収容室（Ａ）を囲繞形成し、同時に、その副収容室（Ａ）の両側に各一つ計二つの主収容室（Ｂ）（Ｂ′）用の空処を確保し、
エ．  その後、副蓋板（１３）を直角に折り曲げて、上記副収容室（Ａ）とその両側の主収容室（Ｂ）（Ｂ′）用の空処の上面開口を閉じ、さらに、後側壁板（３）を折り曲げ起立させて副後側壁板（１２）の外面に重合するとともに、蓋板（４）を折り曲げて上記副蓋板（１３）の外面に重合し、
オ．  続いて、左右側壁板（２′）（２″）（３′）（３″）および左右側壁板（１′）（１″）（４′）（４）″を、それぞれ直角に折り曲げることにより、左右側壁板（２′）（２″）（３′）（３″）と左右側壁板（１′）（１″）（４′）（４″）を内外に重合接着した状態において、二重に主収容室（Ｂ）（Ｂ′）用の空処の側面開口を閉じるとともに、副前側壁板（５）を直角に折り曲げて前側壁板（２）の外面に重合接着するようにしてなることを特徴とする段ボール箱。
【請求項２】
１．  段ボール台紙（ａ′）が、
ア．  横長方形の底板（１）の両側対向長辺縁にそれと同形同大の前側壁板（２）と後側壁板（３）を連設するとともに、その後側壁板（３）には同じく底板（１）と同形同大の蓋板（４）と副前側壁板（５）を順次連設し、かつ、これら底板（１）、前側壁板（２）、後側壁板（３）および蓋板（４）の各両側短辺に、左右側壁板（１′）（１″）（２′）（２″）（３′）（３″）および（４′）（４″）を連設し、
イ．  上記前側壁板（２）に対し、底板（１）とは反対側において該底板（１）と同形同大の仕切り壁板（１０）を連設するとともに、その仕切り壁板（１０）に、同じく底板（１）と同形同大の副底板（１１）および副後側壁板（１２）を順次連設し、
ウ．  上記仕切り壁板（１０）は、その各両側短辺に折曲線（ワ）（ワ′）を介して糊代片（１０′）（１０″）を連設するとともに、中央部分に折曲線（カ）（カ′）で所要の幅員の連繋部（１４）を区画し、これら折曲線（ワ）と（カ）、折曲線（ワ′）と（カ′）により、それぞれ区画された各部を二重壁部（１０−１）（１０−２）とし、しかも、その二重壁部（１０−１）（１０−２）と上記前側壁板（２）との境界には上記連繋部（１４）の部分を除き折曲線リに沿って切込み（１５）（１５′）を設けるとともに、同じく二重壁部（１０−１）（１０−２）と上記副底板（１１）との境界に上記連繋部（１４）の部分を除き折曲線ヌに沿って切込み（１６）（１６′）を設けてなり、
２．  その段ボール台紙（ａ′）が、
ア．  二つ折りすることによって、前側壁板（２）、底板（１）および後側壁板（３）に、それぞれ仕切り壁板（１０）、副底板（１１）および副後側壁板（１２）を重合し、
イ．  上記副後側壁板（１２）を副底板（１１）に対して直角に起立させるとともに、仕切り壁板（１０）の二重壁部（１０−１）（１０−２）を折曲線（カ）（カ′）において、また、糊代片（１０′）（１０″）を折曲線（ワ）（ワ′）において、それぞれ折り曲げることにより持ち上げ、
ウ．  上記前側壁板（２）を底板（１）に対し直角に起立させ、かつ、前側壁板（２）の起立に伴って同時に起立する仕切り壁板（１０）の二重壁部（１０−１）（１０−２）の糊代片（１０′）（１０″）を、直角に起立している上記副後側壁板（１２）の対向部分に接着固定することにより、仕切り壁板（１０）を、副後側壁板（１２）と前側壁板（２）との間に跨架した状態として、連繋部（１４）の幅員の副収容室（Ａ）を囲繞形成し、同時に、その副収容室（Ａ）の両側に各一つ計二つの主収容室（Ｂ）（Ｂ′）用の空処を確保し、
エ．  その後、後側壁板（３）を折り曲げ起立させて副後側壁板（１２）の外面に重合するとともに、蓋板（４）を折り曲げて上記副収容室（Ａ）とその両側の主収容室（Ｂ）（Ｂ′）用の空処の上面開口を閉じ、
オ．  続いて、左右側壁板（２′）（２″）（３′）（３″）および左右側壁板（１′）（１″）（４′）（４″）を、それぞれ直角に折り曲げることにより、左右側壁板（２′）（２″）（３′）（３″）と左右側壁板（１′）（１″）（４′）（４″）を内外に重合接着した状態において、二重に主収容室（Ｂ）（Ｂ′）用の空処の側面開口を閉じるとともに、副前側壁板（５）を直角に折り曲げて前側壁板（２）の外面に重合接着するようにしてなることを特徴とする段ボール箱。
【請求項３】
１．  段ボール台紙ａ″）が、
ア．  横長方形の底板（１）の両側対向長辺縁にそれと同形同大の前側壁板（２）と後側壁板（３）を連設するとともに、その後側壁板（３）には同じく底板（１）と同形同大の蓋板（４）と副前側壁板（５）を順次連設し、かつ、これら底板（１）、前側壁板（２）、後側壁板３および蓋板（４）の各両側短辺に、左右側壁板（１′）（１″）（２′）（２″）（３′）（３″）および（４′）（４″）を連設し、
イ．  上記前側壁板（２）に対し、底板（１）とは反対側において該底板（１）と同形同大の仕切り壁板（１０）を連設するとともに、その仕切り壁板（１０）に、同じく底板（１）と同形同大の副底板（１１）を連設し、
ウ．  上記仕切り壁板（１０）は、その各両側短辺に折曲線（ワ）（ワ′）を介して糊代片（１０′）（１０″）を連設するとともに、中央部分に折曲線（カ）（カ′）で所要の幅員の連繋部（１４）を区画し、これら折曲線（ワ）と（カ）、折曲線（ワ′）と（カ′）により、それぞれ区画された各部を二重壁部（１０−１）（１０−２）とし、しかも、その二重壁部（１０−１）（１０−２）と上記前側壁板（２）との境界には上記連繋部（１４）の部分を除き折曲線リに沿って切込み（１５）（１５′）を設けるとともに、同じく二重壁部（１０−１）（１０−２）と上記副底板（１１）との境界に上記連繋部（１４）の部分を除き折曲線（ヌ）に沿って切込み（１６）（１６′）を設けてなり、
２．その段ボール台紙（ａ″）が、
ア．  仕切り壁板（１０）を折曲して前側壁板（２）に重合するとともに、該仕切り壁板（１０）の二重壁部（１０−１）（１０−２）を折曲線（カ）（カ′）において、また、糊代片（１０′）（１０″）を折曲線（ワ）（ワ′）において、それぞれ折り曲げることにより持ち上げ、
イ．  上記前側壁板（２）を底板（１）に対し直角に起立させ、かつ、前側壁板（２）の起立に伴って同時に起立する仕切り壁板（１０）の二重壁部（１０−１）（１０−２）の糊代片（１０′）（１０″）を、同じく底板（１）に対し直角に起立させた後側壁板（３）の対向部分に接着固定することにより、仕切り壁板（１０）を、後側壁板（３）と前側壁板（２）との間に跨架した状態として、連繋部（１４）の幅員の副収容室（Ａ）を囲繞形成し、同時に、その副収容室（Ａ）の両側に各一つ計二つの主収容室（Ｂ）（Ｂ′）用の空処を確保し、
ウ．  その後、蓋板（４）を折り曲げて、上記副収容室（Ａ）とその両側の主収容室（Ｂ）（Ｂ′）用の空処の上面開口を閉じ、
エ．  続いて、左右側壁板（２′）（２″）（３′）（３″）および左右側壁板（１′）（１″）（４′）（４″）を、それぞれ直角に折り曲げることにより、左右側壁板（２′）（２″）（３′）（３″）と左右側壁板（１′）（１″）（４′）（４″）を内外に重合接着した状態において、二重に主収容室（Ｂ）（Ｂ′）用の空処の側面開口を閉じるようにしてなることを特徴とする段ボール箱。
【請求項４】
請求項１，２または３記載の段ボール箱を組み立てる途中において、すなわち副収容室（Ａ）の両側に各一つ計二つの主収容室（Ｂ）（Ｂ′）用の空処を確保したとき、それら各室の底板（１）の所定部位に目的物を載せておくことを特徴とする段ボール箱による収納梱包法。
【発明の詳細な説明】
【０００１】
【発明の属する技術分野】
本発明は、二重底にしてかつ二つの主収容室を備えた段ボール箱とそれによる収納梱包法に関する。
【０００２】
【従来の技術】
この種の段ボール箱として、既に知られている、例えば特開２００１−３２８６２０号公報（特許文献１）記載のものは、一重の周壁により形成される箱本体内に区画した左右各室の底部に底板の一重部分と二重部分ができ、そこに収納したペットボトル等の目的物の高さが不揃いになるのを、底部全域で底板を二重にして段差を生じないように改善しつつ、二重底にして、底部全域の強度の向上を図っている。
【０００３】
【特許文献１】
特開２００１−３２８６２０号公報
【０００４】
【発明が解決しようとする課題】
段ボール箱に目的物を収納梱包する作業を、所定の自動収納梱包ラインで自動的に行う場合、底部を二重にする上記のような段ボール箱にあっては、当該段ボール箱を組み立てた後に、その段ボール箱に上面開口を通じて目的物を入れざるを得ないと認められる。
【０００５】
それは、組立て途中の一重の底部に目的物を乗載した後で、それらの間に他の底板を挿入することにより二重にすることは困難だからである。
また、目的物を収納梱包した段ボール箱は、その出荷輸送および保管の何れにおいても、複数段に積み重ねられるのが普通であるが、その場合には、特に下段のものが圧し潰されるのを避けなければならない。
そのためには、  特許文献１記載の上記段ボール箱のように、一重の周壁の場合には、肉厚の段ボールを採用するとか、他の補強材を使うなどして所定の補強を行う必要があるという不利が生じる。
【０００６】
そこで本発明は、第１に、底部を二重にしても段差が生じることをなくし、目的物の高さが不揃いにならないようにするとともに、組立ての初期または途中適宜の時期にその二重の底部に目的物を載せることにより所定の自動収納梱包ラインにおいて極めて容易に目的物を収納梱包することができ、第２に、少なくとも周壁の対向する一組を二重構造にし、比較的肉薄の段ボールを使用しても出荷輸送および保管の際に複数段積み重ねてることに十分耐えられる強度を有し、第３に、二つの主収容室の他に、それらの間に副収容室を形成し、これにも所要の物品を収容できるようにした段ボール箱を提供しようとするものである。
【０００７】
【課題を解決するための手段】
請求項１記載の本発明段ボール箱の構成は次のとおりである（実施態様１参照）。
【０００８】
１．  段ボール台紙ａが、
（１）  横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、  ２′，２″、  ３′，３″および４′，４″を連設し、
（２）  上記前側壁板２に対し、底板１とは反対側において該底板１と同形同大の仕切り壁板１０を連設するとともに、その仕切り壁板１０に、同じく底板１と同形同大の副底板１１、副後側壁板１２および副蓋板１３を順次連設し、
（３）  上記仕切り壁板１０は、その各両側短辺に折曲線ワ，ワ′を介して糊代片１０′，１０″を連設するとともに、中央部分に折曲線カ，カ′で所要の幅員の連繋部１４を区画し、これら折曲線ワとカ、折曲線ワ′とカ′により、それぞれ区画された各部を二重壁部１０−１，１０−２とし、しかも、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けてなる。
【０００９】
２．  水平配置した上記段ボール台紙ａを、
（１）  二つ折りすることによって、前側壁板２、底板１、後側壁板３および蓋板４に、それぞれ仕切り壁板１０、副底板１１、副後側壁板１２および副蓋板１３を重合し、
（２）  上記副後側壁板１２を、副蓋板１３を伴ったまま、副底板１１に対して直角に起立させるとともに、仕切り壁板１０の二重壁部１０−１，１０−２を折曲線カ，カ′において、また、糊代片１０′，１０″を折曲線ワ，ワ′において、それぞれ折り曲げることにより持ち上げ、
（３）  上記前側壁板２を底板１に対し直角に起立させ、かつ、前側壁板２の起立に伴って同時に起立する仕切り壁板１０の二重壁部１０−１，１０−２の糊代片１０′，１０″を、直角に起立している上記副後側壁板１２の対向部分に接着固定することにより、仕切り壁板１０を、副後側壁板１２と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、
（４）  その後、副蓋板１３を直角に折り曲げて、上記副収容室Ａとその両側の主収容室Ｂ，Ｂ′用の空処の上面開口を閉じ、さらに、後側壁板３を折り曲げ起立させて副後側壁板１２の外面に重合するとともに、蓋板４を折り曲げて上記副蓋板１３の外面に重合し、
（５）  続いて、左右側壁板２′，２″、３′，３″および左右側壁板１′，１″、４′，４″を、それぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じるとともに、副前側壁板５を直角に折り曲げて前側壁板２の外面に重合接着するようにしてなる。
【００１０】
請求項２記載の本発明段ボール箱の構成は次のとおりである（実施態様２参照）。
【００１１】
１．  段ボール台紙ａ′が、
（１）  横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、  ２′，２″、  ３′，３″および４′，４″を連設し、
（２）  上記前側壁板２に対し、底板１とは反対側において該底板１と同形同大の仕切り壁板１０を連設するとともに、その仕切り壁板１０に、同じく底板１と同形同大の副底板１１および副後側壁板１２を順次連設し、
（３）  上記仕切り壁板１０は、その各両側短辺に折曲線ワ，ワ′を介して糊代片１０′，１０″を連設するとともに、中央部分に折曲線カ，カ′で所要の幅員の連繋部１４を区画し、これら折曲線ワとカ、折曲線ワ′とカ′により、それぞれ区画された各部を二重壁部１０−１，１０−２とし、しかも、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けてなる。
【００１２】
２．  その段ボール台紙ａ′が、
（１）  二つ折りすることによって、前側壁板２，底板１および後側壁板３に、それぞれ仕切り壁板１０，副底板１１および副後側壁板１２を重合し、
（２）  上記副後側壁板１２を副底板１１に対して直角に起立させるとともに、仕切り壁板１０の二重壁部１０−１，１０−２を折曲線カ，カ′において、また、糊代片１０′，１０″を折曲線ワ，ワ′において、それぞれ折り曲げることにより持ち上げ、
（３）  上記前側壁板２を底板１に対し直角に起立させ、かつ、前側壁板２の起立に伴って同時に起立する仕切り壁板１０の二重壁部１０−１，１０−２の糊代片１０′，１０″を、直角に起立している上記副後側壁板１２の対向部分に接着固定することにより、仕切り壁板１０を、副後側壁板１２と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、
（４）  その後、後側壁板３を折り曲げ起立させて副後側壁板１２の外面に重合するとともに、蓋板４を折り曲げて上記副収容室Ａとその両側の主収容室Ｂ，Ｂ′用の空処の上面開口を閉じ、
（５）  続いて、左右側壁板２′，２″、３′，３″および左右側壁板１′，１″、４′，４″を、それぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じるとともに、副前側壁板５を直角に折り曲げて前側壁板２の外面に重合接着するようにしてなる。
【００１３】
請求項３記載の本発明段ボール箱の構成は次のとおりである（実施態様３参照）。
【００１４】
１．  段ボール台紙ａ″が、
（１）  横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、  ２′，２″、  ３′，３″および４′，４″を連設し、
（２）  上記前側壁板２に対し、底板１とは反対側において該底板１と同形同大の仕切り壁板１０を連設するとともに、その仕切り壁板１０に、同じく底板１と同形同大の副底板１１を連設し、
（３）  上記仕切り壁板１０は、その各両側短辺に折曲線ワ，ワ′を介して糊代片１０′，１０″を連設するとともに、中央部分に折曲線カ，カ′で所要の幅員の連繋部１４を区画し、これら折曲線ワとカ、折曲線ワ′とカ′により、それぞれ区画された各部を二重壁部１０−１，１０−２とし、しかも、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けてなる。
【００１５】
２．その段ボール台紙ａ″が、
（１）  仕切り壁板１０を折曲して前側壁板２に重合するとともに、該仕切り壁板１０の二重壁部１０−１，１０−２を折曲線カ，カ′において、また、糊代片１０′，１０″を折曲線ワ，ワ′において、それぞれ折り曲げることにより持ち上げ、
（２）  上記前側壁板２を底板１に対し直角に起立させ、かつ、前側壁板２の起立に伴って同時に起立する仕切り壁板１０の二重壁部１０−１，１０−２の糊代片１０′，１０″を、同じく底板１に対し直角に起立させた後側壁板３の対向部分に接着固定することにより、仕切り壁板１０を、後側壁板３と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、（３）  その後、蓋板４を折り曲げて、上記副収容室Ａとその両側の主収容室Ｂ，Ｂ′用の空処の上面開口を閉じ、
（４）  続いて、左右側壁板２′，２″、３′，３″および左右側壁板１′，１″、４′，４″を、それぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じるようにしてなる。
【００１６】
請求項４記載の本発明は、請求項１，２または３記載の段ボール箱を組み立てる途中において、すなわち副収容室Ａの両側に各一つ計二つの主収容室Ｂ，Ｂ′用の空処を確保したとき、それら各室の底板１の所定部位に目的物を載せておくことを内容とする段ボール箱による収納梱包法である。
【００１７】
【発明の実施の形態】
実施形態１（図１〜８）
段ボール台紙ａの構成は次のとおりである。
１は横長方形の底板で、その底板１の両側対向長辺縁にそれと同形同大の前側壁板２と後側壁板３を折曲線イ，ロを介して連設するとともに、後側壁板３には同じく底板１と同形同大の蓋板４と副前側壁板５を順に折曲線ハ，ニを介して連設している。
１′，１″、  ２′，２″、  ３′，３″および４′，４″は、それぞれ、上記底板１、前側壁板２、後側壁板３および蓋板４の各両側短辺に、折曲線ホ，ホ′、ヘ，へ′、ト，ト′およびチ，チ′を介して連設した左右側壁板で、その各側壁板の間すなわち上記折曲線イ，ロ，ハの延長線上に切込み６，６′、７，７′および８，８′を形成している。
【００１８】
１０は、上記前側壁板２に対し、底板１とは反対側において折曲線リを介し連設した該底板１と同形同大の仕切り壁板、１１は、その仕切り壁板１０に折曲線ヌを介して連設した同じく底板１と同形同大の副底板、１２は、その副底板１１に折曲線ルを介して連設した同じく底板１と同形同大の副後側壁板、１３は、その副後側壁板１２に折曲線ヲを介して連設した同じく底板１と同形同大の副蓋板である。
【００１９】
上記仕切り壁板１０は、さらに次のようになっている。
すなわち、仕切り壁板１０は、その各両側短辺に折曲線ワ，ワ′を介して糊代片１０′，１０″を連設するとともに、中央部分に折曲線カ，カ′で所要の幅員（例えば該仕切り壁板１０の全長の約５分の１）の連繋部１４を区画し、これら折曲線ワとカ、折曲線ワ′とカ′により、それぞれ区画された各部を二重壁部１０−１，１０−２とし、さらに、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けている。
【００２０】
上記構成の段ボール台紙ａは、例えば所定の自動収納梱包ライン上で、以下のうように当該目的物を収納梱包しつつ組み立てられ、本発明段ボール箱となる。
【００２１】
まず、水平配置した段ボール台紙ａを、二つ折りすることによって、すなわち、前側壁板２と仕切り壁板１０との間すなわち折曲線リと切込み１５，１５′に沿って折り曲げることにより、前側壁板２、底板１、後側壁板３および蓋板４に、それぞれ仕切り壁板１０、副底板１１、副後側壁板１２および副蓋板１３を重合する（図２）。
【００２２】
次に、上記副後側壁板１２を、副蓋板１３を伴ったままで、折曲線ルにおいて折り曲げることにより副底板１１に対して直角に起立させるとともに、仕切り壁板１０の二重壁部１０−１，１０−２を折曲線カ，カ′において、また、糊代片１０′，１０″を折曲線ワ，ワ′において、それぞれ折り曲げることにより持ち上げる（図３）。
【００２３】
引き続き、上記前側壁板２を折曲線イにおいて折り曲げて底板１に対し直角に起立させ、かつ、前側壁板２のこの起立に伴って同時に起立する仕切り壁板１０の二重壁部１０−１，１０−２の糊代片１０′，１０″を内方に折曲して重合接着するとともに、その重合部分を上記のように直角に起立している副後側壁板１２の対向部分に接着固定する。
なお、糊代片１０′，１０″は、上記のように重合することなく、折曲線ワ，ワ′で互いに外方に折曲した状態にして、副後側壁板１２の対向部分に接着固定することにしてもよい。
【００２４】
いずれにしても、仕切り壁板１０の二重壁部１０−１，１０−２の糊代片１０′，１０″が副後側壁板１２に接着固定することにより、仕切り壁板１０は、その連繋部１４を前側壁板２に重合していることと相俟って、副後側壁板１２と前側壁板２との間に、跨架した状態において、所要の幅員（連繋部１４の幅員）の副収容室Ａを囲繞形成し、同時に、その副収容室Ａの両側に各一つ計二つの主収容室Ｂ，Ｂ′用の空処を確保する（図４）。
【００２５】
そこで、この主収容室Ｂ，Ｂ′用の空処に、収納梱包しようとする主たる目的物（例えば塗料，シーリング材，接着剤等を充填した所要の容器）を配置するとともに、副収容室Ａに、従たる目的物（例えば添加剤等を充填した所要の容器、または主たる目的物の附属品等）を配置する（なお、これら目的物の配置は、主収容室Ｂ，Ｂ′用の空処を形成する前の適当な時期において、例えば、段ボール台紙ａを二つ折りして底板１に副底板１１が重合し状態になったときに、その副底板１１の左右所定位置に予め乗載して行っておいてもよい）。
【００２６】
その後、副蓋板１３を折曲線ヲにおいて直角に折り曲げて、上記副収容室Ａとその両側の主収容室Ｂ，Ｂ′用の空処の上面開口を閉じ、さらに、後側壁板３を、折曲線ロにおいて折り曲げ起立させて副後側壁板１２の外面に重合するとともに、蓋板４を折曲線ハで折り曲げて上記副蓋板１３の外面に重合する。
【００２７】
続いて、左右側壁板２′，２″、３′，３″を折曲線ヘ，へ′、ト，ト′で、また、同じく左右側壁板１′，１″、４′，４″を折曲線ホ，ホ′、チ，チ′でそれぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じ、最後に、副前側壁板５を、折曲線ニで直角に折り曲げて、前側壁板２の外面に重合接着する（図６）。
【００２８】
これによって、二つの主たる目的物を主収容室Ｂ，Ｂ′に、また一つの従たる目的物を副収容室Ａにそれぞれ収容した実施形態１に係る本発明段ボール箱が組み立て完成することになる。
【００２９】
この実施形態１のものは、上記から明らかなとおり、底部を含む全周が二重構造をなし、しかも、主収容室Ｂ，Ｂ′を仕切りかつ副収容室Ａを形成する仕切り壁板１０の二重壁部１０−１，１０−２が、中央に設立した補強部体の作用も果たすので、全体として、既存の段ボール箱に比べるとその強度を著しく高くするものである。
【００３０】
しかし、本発明は、底部を二重構造にし、かつ、二つの主収容室Ｂ，Ｂ′を仕切る仕切り壁板１０により副収容室Ａを形成し、その仕切り壁板１０が補強部体の作用を果たすものであれば、収容しようとする目的物の大きさや重量に応じ、例えば、後側壁板３に対しさらに副後側壁板を重合しないとか、蓋板４に対し副蓋板を重合しないといった構造とるすることもできること明らかである。
【００３１】
実施形態２（図９〜１２）
この実施形態２は、その段ボール台紙ａ′が、実施形態１の段ボール台紙ａにおける副蓋板１３を有しないことにおいて相違し、したがってまた、組み立てられる段ボール箱は蓋板４が副蓋板との重合構造を採らないことにおいて相違し、その他の点は両者共通である。
【００３２】
すなわち、段ボール台紙ａ′は、（１）横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、  ２′，２″、  ３′，３″および４′，４″を連設し、（２）上記前側壁板２に対し、底板１とは反対側において該底板１と同形同大の仕切り壁板１０を連設するとともに、その仕切り壁板１０に、同じく底板１と同形同大の副底板１１および副後側壁板１２を順次連設し、（３）上記仕切り壁板１０は、その各両側短辺に折曲線ワ，ワ′を介して糊代片１０′，１０″を連設するとともに、中央部分に折曲線カ，カ′で所要の幅員の連繋部１４を区画し、これら折曲線ワとカ、折曲線ワ′とカ′により、それぞれ区画された各部を二重壁部１０−１，１０−２とし、しかも、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けている。
【００３３】
その段ボール台紙ａ′は、（１）所要の部位から二つ折りすることによって、前側壁板２，底板１および後側壁板３に、それぞれ仕切り壁板１０，副底板１１および副後側壁板１２を重合し、（２）上記副後側壁板１２を副底板１１に対して直角に起立させるとともに、仕切り壁板１０の二重壁部１０−１，１０−２を折曲線カ，カ′において、また、糊代片１０′，１０″を折曲線ワ，ワ′において、それぞれ折り曲げることにより持ち上げ、（３）上記前側壁板２を底板１に対し直角に起立させ、かつ、前側壁板２の起立に伴って同時に起立する仕切り壁板１０の二重壁部１０−１，１０−２の糊代片１０′，１０″を、直角に起立している上記副後側壁板１２の対向部分に接着固定することにより、仕切り壁板１０を、副後側壁板１２と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、（４）その後、後側壁板３を折り曲げ起立させて副後側壁板１２の外面に重合するとともに、蓋板４を折り曲げて上記副収容室Ａとその両側の主収容室Ｂ，Ｂ′用の空処の上面開口を閉じ、（５）続いて、左右側壁板２′，２″、３′，３″および左右側壁板１′，１″、４′，４″を、それぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じるとともに、副前側壁板５を直角に折り曲げて前側壁板２の外面に重合接着することにより所期の段ボール箱を組み立てる。
【００３４】
実施形態３（図１３〜１６）
この実施形態３は、その段ボール台紙ａ″が、実施形態１の段ボール台紙ａにおける副後側壁板１２および副蓋板１３を有しないことにおいて相違し、したがってまた、組み立てられる段ボール箱が、後側壁板３が副後側壁板との重合構造を採らないことと、蓋板４が副蓋板との重合構造を採らないことにおいて相違し、その他の点は両者共通である。
【００３５】
すなわち、段ボール台紙ａ″は、（１）横長方形の底板１の両側対向長辺縁にそれと同形同大の前側壁板２と後側壁板３を連設するとともに、その後側壁板３には同じく底板１と同形同大の蓋板４と副前側壁板５を順次連設し、かつ、これら底板１、前側壁板２、後側壁板３および蓋板４の各両側短辺に、左右側壁板１′，１″、  ２′，２″、  ３′，３″および４′，４″を連設し、（２）上記前側壁板２に対し、底板１とは反対側において該底板１と同形同大の仕切り壁板１０を連設するとともに、その仕切り壁板１０に、同じく底板１と同形同大の副底板１１を連設し、（３）上記仕切り壁板１０は、その各両側短辺に折曲線ワ，ワ′を介して糊代片１０′，１０″を連設するとともに、中央部分に折曲線カ，カ′で所要の幅員の連繋部１４を区画し、これら折曲線ワとカ、折曲線ワ′とカ′により、それぞれ区画された各部を二重壁部１０−１，１０−２とし、しかも、その二重壁部１０−１，１０−２と上記前側壁板２との境界には上記連繋部１４の部分を除き折曲線リに沿って切込み１５，１５′を設けるとともに、同じく二重壁部１０−１，１０−２と上記副底板１１との境界に上記連繋部１４の部分を除き折曲線ヌに沿って切込み１６，１６′を設けている。
【００３６】
その段ボール台紙ａ″は、（１）仕切り壁板１０を折曲して前側壁板２に重合するとともに、該仕切り壁板１０の二重壁部１０−１，１０−２を折曲線カ，カ′において、また、糊代片１０′，１０″を折曲線ワ，ワ′において、それぞれ折り曲げることにより持ち上げ、（２）上記前側壁板２を底板１に対し直角に起立させ、かつ、前側壁板２の起立に伴って同時に起立する仕切り壁板１０の二重壁部１０−１，１０−２の糊代片１０′，１０″を、同じく底板１に対し直角に起立させた後側壁板３の対向部分に接着固定することにより、仕切り壁板１０を、後側壁板３と前側壁板２との間に跨架した状態として、連繋部１４の幅員の副収容室Ａを囲繞形成し、同時に、その副収容室Ａの両側に各一つ計二つの主収容室Ｂ，Ｂ′用の空処を確保し、（４）その後、蓋板４を折り曲げて、上記副収容室Ａとその両側の主収容室Ｂ，Ｂ′用の空処の上面開口を閉じ、（５）続いて、左右側壁板２′，２″、３′，３″および左右側壁板１′，１″、４′，４″を、それぞれ直角に折り曲げることにより、左右側壁板２′，２″、３′，３″と左右側壁板１′，１″、４′，４″を内外に重合接着した状態において、二重に主収容室Ｂ，Ｂ′用の空処の側面開口を閉じることにより所期の段ボール箱を組み立てる。
【００３７】
【発明の効果】
以上詳述したところから明らかなように、本発明によれば次の効果を奏するものである。
【００３８】
本発明段ボール箱は、二つの主収容室Ｂ，Ｂ′と一つ副収容室Ａを備え、かつ、底部が二重構造をなすとともに、少なくとも周壁の対向する一組を二重構造にし、しかも、主収容室Ｂ，Ｂ′を仕切りかつ副収容室Ａを形成する仕切り壁板１０の二重壁部１０−１，１０−２が、補強部体の作用も果たすので、全体として、既存の段ボール箱に比べるとその強度を著しく高くしている。
【００３９】
本発明段ボール箱は、目的物を収納する二つの主収容室Ｂ，Ｂ′と一つ副収容室Ａが、いずれも、その底部を二重ではあるが段差を生じることをなくしているから、当該収納物の高さを不揃いにすることなく整然と収納できる。
このことは、自動収納梱包ラインにおいて、上記主収容室Ｂ，Ｂ′と副収容室Ａに目的物を収納梱包するのを支障なく正確に実施できるものにする。
【００４０】
本発明段ボール箱は、底部が二重構造をなすとともに、少なくとも周壁の対向する一組を二重構造にし、しかも、主収容室Ｂ，Ｂ′を仕切りかつ副収容室Ａを形成する仕切り壁板１０の二重壁部１０−１，１０−２が補強部体の作用も果たすので、比較的肉薄の段ボールを使用しても出荷輸送および保管の際に複数段積み重ねてることに、十分耐えられる強度を有する。
【図面の簡単な説明】
【図１】本発明段ボール箱の第１実施形態に係る段ボール台紙の展開図である。
【図２】上記段ボール箱の組立て状況を説明するための斜視図で、段ボール台紙を二つ折りした状態を示す。
【図３】上記二つ折り状態の段ボール台紙の一部を立ち上げた状態を説明するための斜視図である。
【図４】上記のように立ち上げた段ボール台紙の一部をさらに組み立てている状態の斜視図である。
【図５】その組み立てがさらに進んだ状態の斜視図である。
【図６】組立てを終えた本発明段ボール箱の斜視図である。
【図７】図６のＩ−Ｉ線拡大断面図である。
【図８】図６のＩＩ−ＩＩ線拡大断面図である。
【図９】本発明段ボール箱の第２実施形態に係る段ボール台紙の展開図である。
【図１０】上記段ボール台紙の一部を立ち上げた状態を説明するための斜視図である。
【図１１】組立てを終えた第２実施形態に係る段ボール箱の長軸線に沿う拡大断面図である。
【図１２】組立てを終えた第２実施形態に係る段ボール箱の短軸線に沿う拡大断面図である。
【図１３】本発明段ボール箱の第３実施形態に係る段ボール台紙の展開図である。
【図１４】上記段ボール台紙の一部を立ち上げた状態を説明するための斜視図である。
【図１５】組立てを終えた第３実施形態に係る段ボール箱の長軸線に沿う拡大断面図である。
【図１６】組立てを終えた第３実施形態に係る段ボール箱の短軸線に沿う拡大断面図である。
【符号の説明】
ａ，ａ′，ａ″      段ボール台紙
１                  底板
２                  前側壁板
３                  後側壁板
４                  蓋板
５                  副前側壁板
１′，１″          左右側壁板
２′，２″          左右側壁板
３′，３″          左右側壁板
４′，４″          左右側壁板
１０                仕切り壁板
１０′，１０″      糊代片
１０−１，１０−２  二重壁部
１１                副底板
１２                副後側壁板
１３                副蓋板
１４                連繋部
１５，１５′        切込み
１６，１６′        切込み
ヌ                  折曲線
ワ，ワ′            折曲線
カ，カ′            折曲線
Ａ                  副収容室
Ｂ，Ｂ′            主収容室
【図１】
2004359306.tif 000003
【図２】
2004359306.tif 000004
【図３】
2004359306.tif 000005
【図４】
2004359306.tif 000006
【図５】
2004359306.tif 000007
【図６】
2004359306.tif 000008
【図７】
2004359306.tif 000009
【図８】
2004359306.tif 000010
【図９】
2004359306.tif 000011
【図１０】
2004359306.tif 000012
【図１１】
2004359306.tif 000013
【図１２】
2004359306.tif 000014
【図１３】
2004359306.tif 000015
【図１４】
2004359306.tif 000016
【図１５】
2004359306.tif 000017
【図１６】
2004359306.tif 000018